(57)【要約】【課題】医用機器で生成される医用検査に付随する情報の変化に応じて、ユーザの入力なしに自動的に様々な機器に対して適切な順序で適切な処理の実行を要求する。【解決手段】実施形態に係る検査支援装置は、監視部と、生成部と、実行部とを備える。監視部は、自機とデータ送受信可能に接続された外部医用機器で生成される医用検査に付随する情報を監視して変化を検出する。生成部は、医用検査に付随する情報に変化があると、変化の内容に応じて、当該医用検査に付随する情報を送信した外部医用機器と他の外部医用機器と外部の情報処理装置との少なくとも１つに要求する複数の処理を規定するとともにそれぞれの処理の実行順序を規定した処理シナリオを生成する。実行部は、処理シナリオに規定された実行順序で、外部医用機器と他の外部医用機器と外部の情報処理装置との少なくとも１つに対して処理シナリオに規定された処理を要求する。【選択図】  図１
2020057326.tif 000002
【特許請求の範囲】
【請求項１】
自機とデータ送受信可能に接続された外部医用機器で生成される医用検査に付随する情報を監視して変化を検出する監視部と、
前記医用検査に付随する情報に変化があると、変化の内容に応じて、当該医用検査に付随する情報を送信した前記外部医用機器と他の外部医用機器と外部の情報処理装置との少なくとも１つに要求する複数の処理を規定するとともにそれぞれの処理の実行順序を規定した処理シナリオを生成する生成部と、
前記処理シナリオに規定された実行順序で、前記外部医用機器と前記他の外部医用機器と前記外部の情報処理装置との少なくとも１つに対して前記処理シナリオに規定された処理を要求する実行部と、
を備えた検査支援装置。
【請求項２】
前記生成部は、
前記医用検査に付随する情報に変化があるごとに、変化の内容に則した処理および実行順序となるよう、前記実行部により実行中の前記処理シナリオを構成する前記複数の処理の一部または全部を他の処理に変更して前記処理シナリオを再編する、
請求項１記載の検査支援装置。
【請求項３】
前記生成部は、
前記医用検査に付随する情報に変化があるごとに、変化の内容に応じて、前記実行部により実行中の前記処理シナリオを構成する前記複数の処理のうちの１つの処理を細分化した処理を前記処理シナリオに追加する、
請求項１または２に記載の検査支援装置。
【請求項４】
前記監視部は、
前記外部医用機器と前記他の外部医用機器と前記外部の情報処理装置との少なくとも１つにおける前記実行部が要求した処理に応じた前記医用検査に付随する情報の変化と前記処理シナリオの情報とにもとづいて、前記処理シナリオの進捗状況の変化を検出する、
請求項１ないし３のいずれか１項に記載の検査支援装置。
【請求項５】
前記生成部は、
前記複数の処理のそれぞれの処理どうしの関連性およびそれぞれの処理の優先度に応じて、前記複数の処理の実行順序を決定する、
請求項１ないし４のいずれか１項に記載の検査支援装置。
【請求項６】
前記複数の処理は、
前記外部医用機器としての医用画像診断装置に対してシステム状態のセルフチェックを要求する処理、前記他の外部医用機器としての読影装置に対して読影を要求する処理、前記外部の情報処理装置に対してサービスマンに前記外部医用機器にエラーが発生している旨を連絡可能な動作をするよう要求する処理、の少なくとも１つの処理を含む、
請求項１ないし５のいずれか１項に記載の検査支援装置。
【請求項７】
前記外部医用機器は、
医用画像診断装置を含み、
前記医用検査に付随する情報は、
前記医用画像診断装置による検査の進行状況を示す情報、前記医用画像診断装置の撮像装置の動作状態を示す情報、前記医用画像診断装置の起動状態を示す情報、前記医用画像診断装置のエラー情報、の少なくとも１つの情報を含む、
請求項１ないし６のいずれか１項に記載の検査支援装置。
【請求項８】
自機で生成される医用検査に付随する情報を送信する少なくとも１つの医用機器と、
前記医用機器とデータ送受信可能に接続され、前記医用検査に付随する情報を受信する検査支援装置と、
を備え、
前記検査支援装置は、
前記医用機器から受信した前記医用検査に付随する情報の変化を監視する監視部と、
前記医用検査に付随する情報に変化があると、変化の内容に応じて、当該医用検査に付随する情報を送信した前記医用機器と他の医用機器と情報処理装置との少なくとも１つに要求する複数の処理を規定するとともにそれぞれの処理の実行順序を規定した処理シナリオを生成する生成部と、
前記処理シナリオに規定された実行順序で、前記医用機器と前記他の医用機器と前記情報処理装置の少なくとも１つに対して前記処理シナリオに規定された処理を要求する実行部と、
を有する、
検査支援システム。
【請求項９】
被検体の医用画像を撮像する撮像部と、
自機のエラー発生箇所の検知およびエラーログの管理を行うエラー管理部と、
自機で生成される医用検査に付随する情報を監視して変化を検出する監視部と、
前記医用検査に付随する情報に変化があると、変化の内容に応じて、自機と外部医用機器と外部の情報処理装置との少なくとも１つに要求する複数の処理を規定するとともにそれぞれの処理の実行順序を規定した処理シナリオを生成する生成部と、
前記処理シナリオに規定された実行順序で、自機のコンポーネントと前記他の外部医用機器と前記外部の情報処理装置との少なくとも１つに対して前記処理シナリオに規定された処理を要求する実行部と、
を備えた医用画像診断装置。
【請求項１０】
コンピュータに、
自機とデータ送受信可能に接続された外部医用機器で生成される医用検査に付随する情報を監視して変化を検出するステップ、
前記医用検査に付随する情報に変化があると、変化の内容に応じて、当該医用検査に付随する情報を送信した前記外部医用機器と他の外部医用機器と外部の情報処理装置との少なくとも１つに要求する複数の処理を規定するとともにそれぞれの処理の実行順序を規定した処理シナリオを生成するステップ、および、
前記処理シナリオに規定された実行順序で、前記外部医用機器と前記他の外部医用機器と前記外部の情報処理装置との少なくとも１つに対して前記処理シナリオに規定された処理を要求するステップ、
を実行させるための検査支援プログラム。
【発明の詳細な説明】
【技術分野】
【０００１】
本発明の実施形態は、検査支援装置、検査支援システム、医用画像診断装置、および検査支援プログラムに関する。
【背景技術】
【０００２】
現在、医用画像診断装置などの医用機器で生成される情報にもとづいて、ユーザが自身で、たとえば検査予約装置に対する次の検査の予約、医用画像診断装置に対する関連画像の収集指示、医用画像診断装置のエラー発生に伴うサービスマンの保有機器へのエラー通知などの様々な処理を行っている。
【０００３】
これらの処理のユーザ負担軽減のため、ユーザの最低限の入力や自動入力の条件判断にもとづいて、全自動的にまたは半自動的に、それぞれの処理を個別に支援する機能が知られている。
【０００４】
しかし、それぞれの作業を個別に支援することでは、ユーザの負担を十分に低減することはできない。これは、１つの処理には他の処理が関連する場合や、１つの処理が複数の処理からなる一連の手順の１処理にすぎない場合等があるためである。このため、たとえ個々の処理を支援する機能を利用することで１つの処理の手間が省けたとしても、この１つの処理の結果に応じて次の処理の必要性が生じてしまうと、ユーザはこれらの連鎖的に生じる処理を結局は手動で行わざるを得ない。
【先行技術文献】
【特許文献】
【０００５】
【特許文献１】特開２０１１−１８１０８４号公報
【発明の概要】
【発明が解決しようとする課題】
【０００６】
本発明が解決しようとする課題は、医用機器で生成される医用検査に付随する情報の変化に応じて、ユーザの入力なしに自動的に様々な機器に対して適切な順序で適切な処理の実行を要求することである。
【課題を解決するための手段】
【０００７】
実施形態に係る検査支援装置は、監視部と、生成部と、実行部とを備える。監視部は、自機とデータ送受信可能に接続された外部医用機器で生成される医用検査に付随する情報を監視して変化を検出する。生成部は、医用検査に付随する情報に変化があると、変化の内容に応じて、当該医用検査に付随する情報を送信した外部医用機器と他の外部医用機器と外部の情報処理装置との少なくとも１つに要求する複数の処理を規定するとともにそれぞれの処理の実行順序を規定した処理シナリオを生成する。実行部は、処理シナリオに規定された実行順序で、外部医用機器と他の外部医用機器と外部の情報処理装置との少なくとも１つに対して処理シナリオに規定された処理を要求する。
【図面の簡単な説明】
【０００８】
【図１】第１実施形態に係る検査支援装置を含む検査支援システムの一構成例を示すブロック図。
【図２】処理回路のプロセッサにより、外部医用機器で生成される検査付随情報の変化に応じて、ユーザの入力なしに自動的に外部機器の少なくとも１つに対して適切な順序で適切な処理の実行を要求する際の概略的な手順を示すフローチャート。
【図３】処理シナリオの生成および実行における各構成間の情報の流れの一例を示す説明図。
【図４】検査付随情報の変化として患者Ａの検査状態の変化を検知した場合の処理シナリオの生成および実行における各構成間の情報の流れの一例を示す説明図。
【図５】図４（５）に示す処理Ａ１に続く各構成間の情報の流れの一例を示す説明図。
【図６】図４（５）に示す処理Ｂ１に続く各構成間の情報の流れの一例であって、図５（９）に示した処理シナリオの再編後における各構成間の情報の流れの一例を示す説明図。
【図７】図５（９）に示す処理シナリオの処理Ｃ２を細分化した処理を処理シナリオに追加する例を示す説明図。
【図８】第２実施形態に係る医用画像診断装置を含む検査支援システムの一構成例を示すブロック図。
【発明を実施するための形態】
【０００９】
以下、図面を参照しながら、検査支援装置、検査支援システム、医用画像診断装置、および検査支援プログラムの実施形態について詳細に説明する。
【００１０】
実施形態に係る検査支援装置は、医用機器で生成される医用検査に付随する情報の変化に応じて、ユーザの入力なしに、自動的に適切な順序で適切な処理を行うことで、ユーザがこれまで行っていた処理の負担を削減するものである。
【００１１】
なお、以下の説明において、ユーザが行っていた処理とは、具体的な作業をいい、たとえば、検査予約装置に対する次の検査の予約、医用画像診断装置に対する関連画像の収集指示、医用画像診断装置のエラー発生に伴うサービスマン保有機器へのエラー通知要求などをいうものとする。実施形態に係る検査支援装置は、これらのユーザ処理のかわりに、医用機器で生成される医用検査に付随する情報の変化に応じて、様々な機器に対してユーザが所望する処理を実行するように要求する。
【００１２】
また、以下の説明において、処理シナリオとは、様々な機器に対して実行を要求する複数の処理を総合的に管理、実行するための手順を規定するものである。
【００１３】
（第１の実施形態）
図１は、第１実施形態に係る検査支援装置２０を含む検査支援システム１０の一構成例を示すブロック図である。
【００１４】
検査支援システム１０は、検査支援装置２０、検査支援装置２０と互いにデータ送受信可能にネットワーク１００を介して接続された医用画像診断装置３１および３２、ＨＩＳ（Hospital Information System、病院情報システム）３３、ＲＩＳ（Radiology Information System、放射線科情報システム）３４、ＰＡＣＳ（Picture Archiving and Communication Systems、画像保存通信システム）３５、ＣＡＤ（Computer-aided Detection/Diagnosis、コンピュータ支援診断装置）３６、読影装置３７、情報処理装置４０を有する。医用画像診断装置３１および３２、ＨＩＳ３３、ＲＩＳ３４、ＰＡＣＳ３５、ＣＡＤ３６、ならびに読影装置３７は、外部医用機器の一例である。以下の説明では、外部医用機器３１−３７と情報処理装置４０を適宜外部機器と総称する。
【００１５】
医用画像診断装置３１、３２は、被検体を撮像することにより医用画像を生成する装置である。医用画像診断装置３１、３２としては、Ｘ線診断装置、Ｘ線ＣＴ（Computed Tomography）装置、核医学診断装置などの放射線診断装置のほか、磁気共鳴イメージング（ＭＲＩ：Magnetic Resonance Imaging）装置、超音波診断装置などのモダリティを用いることができる。
【００１６】
なお、図１には検査支援システム１０が２つの医用画像診断装置３１、３２と接続される場合の例を示したが、検査支援システム１０は１または３以上の医用画像診断装置と接続されてもよい。
【００１７】
また、図１にはＣＡＤ３６がＰＡＣＳ３５を介して検査支援装置２０と接続される場合の例を示したが、ＣＡＤ３６はネットワーク１００を介して検査支援装置２０と直接接続されてもよい。
【００１８】
読影装置３７は、読影者によって医用画像の読影に利用されるビューワである。
【００１９】
本実施形態に係る情報処理装置４０は、医用画像診断装置３１を保守管理するためにサービスマンによって利用される。情報処理装置４０は外部の情報処理装置の一例である。
【００２０】
検査支援装置２０は、通信回路２１、記憶回路２２、および処理回路２３を有する。
【００２１】
通信回路２１は、ネットワーク１００の形態に応じた種々の情報通信用プロトコルを実装する。通信回路２１は、この各種プロトコルに従って検査支援装置２０と外部機器３１−３７および４０とを接続する。この接続には、電子ネットワークを介した電気的な接続などを適用することができる。ここで電子ネットワークとは、電気通信技術を利用した情報通信網全般を意味し、無線／有線の病院基幹ＬＡＮ（Local Area Network）やインターネット網のほか、電話通信回線網、光ファイバ通信ネットワーク、ケーブル通信ネットワークおよび衛星通信ネットワークなどを含む。
【００２２】
記憶回路２２は、磁気的もしくは光学的記録媒体または半導体メモリなどの、プロセッサにより読み取り可能な記録媒体を含んだ構成を有する。記憶回路２２は、検査支援プログラムを記憶するほか、外部医用機器３１−３７から随時取得した医用検査に付随する任意の情報（以下、検査付随情報という）を記憶する。検査付随情報は、外部医用機器３１−３７から随時記憶回路２２に与えられる。
【００２３】
検査付随情報は、外部医用機器３１−３７の現在の状態を示す情報を含む。たとえば、検査付随情報は、検査状態（患者登録や、検査開始、検査中、検査終了などの検査の進行状況を示す情報）、医用機器の検査システムの動作状態（寝台移動、透視、撮影など）、医用機器の検査システムの状態（エラー情報、シャットダウン、起動中など）、医用画像などを含む。また、検査付随情報には、処理回路２３が生成する処理シナリオが含まれる。
【００２４】
処理回路２３は、検査支援装置２０を統括制御する機能を実現する。また、処理回路２３は、記憶回路２２に記憶された検査支援プログラムを読み出して実行することにより、外部医用機器３１−３７で生成される検査付随情報の変化に応じて、ユーザの入力なしに自動的に外部機器３１−３７および４０の少なくとも１つに対して適切な順序で適切な処理の実行を要求するための処理を実行するプロセッサである。
【００２５】
図１に示すように、処理回路２３のプロセッサは、状態変化監視機能２３１、処理シナリオ生成機能２３２、および処理シナリオ実行機能２３３を実現する。これらの各機能はそれぞれプログラムの形態で記憶回路２２に記憶されている。
【００２６】
状態変化監視機能２３１は、外部医用機器３１−３７で生成される検査付随情報を監視して変化を検出する。検査付随情報が外部医用機器３１−３７から随時記憶回路２２に与えられる場合は、状態変化監視機能２３１は記憶回路２２を確認することで医用機器３１−３７の最新の状態を監視することができる。また、状態変化監視機能２３１は、たとえば定期的に外部医用機器３１−３７に検査付随情報の送信を要求してもよい。また、医用機器３１−３７が提供可能な検査付随情報の全てを記憶回路２２に収集してもよいし、あらかじめ医用機器ごとに設定した一部の検査付随情報を収集してもよい。
【００２７】
処理シナリオ生成機能２３２は、検査付随情報に変化があると、変化の内容に応じて、処理シナリオを生成する。処理シナリオとは、検査付随情報に変化があった外部医用機器（たとえば医用画像診断装置３１）と他の外部医用機器（たとえば医用機器３２−３７）と情報処理装置４０との少なくとも１つに要求する複数の処理を総合的に管理、実行するための手順を規定するものであり、複数の処理内容を規定するとともにそれぞれの処理の実行順序を規定したものである。
【００２８】
また、処理シナリオ生成機能２３２は、状態変化監視機能２３１が検査付随情報の変化を検出するごとに、処理シナリオが最新の変化の内容に則した処理および実行順序となるよう、処理シナリオを構成する複数の処理の一部または全部を他の処理に変更することにより、または他の処理を追加することにより、処理シナリオを再編する。
【００２９】
なお、処理シナリオ生成機能２３２は、あらかじめ検査付随情報の変化を入力とし、この変化に対応する処理シナリオを出力とするように深層学習などにより機械学習して得たパラメータを利用することで処理シナリオを決定してもよい。また、処理シナリオ生成機能２３２は、複数の処理のそれぞれの処理どうしの関連性にもとづいて処理シナリオを構成する複数の処理を決定するとともに、これらの複数の処理のそれぞれの処理間の優先度をあらかじめ設定しておき、優先度に応じて処理シナリオにおける複数の処理の実行順序を決定してもよい。
【００３０】
たとえば、１つの処理に対して、この処理の後に実行すべき処理が複数関連づいている場合は、優先度をあらかじめ設定しておくことが好ましい。これらの処理を優先度の順につなげていくことで処理シナリオが生成される。また、この処理が終了したらこの処理の実行が可能、といった優先タスクの情報が各処理に付帯されてもよい。
【００３１】
処理シナリオ実行機能２３３は、処理シナリオに規定された実行順序で、外部機器３１−３７および４０の少なくとも１つに対して処理シナリオに規定された処理を要求する。
【００３２】
図２は、処理回路２３のプロセッサにより、外部医用機器３１−３７で生成される検査付随情報の変化に応じて、ユーザの入力なしに自動的に外部機器３１−３７および４０の少なくとも１つに対して適切な順序で適切な処理の実行を要求する際の概略的な手順を示すフローチャートである。図２において、Ｓに数字を付した符号はフローチャートの各ステップを示す。
【００３３】
この手順は、外部医用機器３１−３７から送信された検査付随情報を取得してスタートとなる。
【００３４】
また、図３は、処理シナリオの生成および実行における各構成間の情報の流れの一例を示す説明図である。
【００３５】
まず、ステップＳ１において、状態変化監視機能２３１は、検査付随情報を監視し、変化を検出か否かを判定する。変化を検出すると（図３（１）参照）、状態変化監視機能２３１は、変化の内容を処理シナリオ生成機能２３２に与えて（図３（２）参照）、ステップＳ２に進む。一方、変化を検出しない場合は引き続き検査付随情報を監視してその変化を検出する。
【００３６】
次に、ステップＳ２において、処理シナリオ生成機能２３２は、検査付随情報の変化の内容に応じて、外部機器３１−３７および４０の少なくとも１つに要求する複数の処理を規定するとともにそれぞれの処理の実行順序を規定した処理シナリオを生成する（図３（３）参照）。また、処理シナリオ生成機能２３２は、生成した処理シナリオの情報を、記憶回路２２に出力して検査付随情報として記憶させるとともに、処理シナリオ実行機能２３３に出力する（図３（４）参照）。
【００３７】
処理シナリオを検査付随情報に含めることにより、状態変化監視機能２３１は、処理シナリオの処理を実行することで外部機器３１−３７および４０の少なくとも１つの検査付随情報が変化したことを検出することができるため、処理シナリオの進捗状況の変化を検出することができる。
【００３８】
また、ステップＳ４からステップＳ１に戻った場合であって、新たな検査付随情報の変化が検出されてステップＳ２に進んだ場合は、処理シナリオ生成機能２３２は、今回新たに検出した変化の内容に則した処理および実行順序となるように処理シナリオを再編する。新たな検査付随情報の変化が検出される場合には、処理シナリオに含まれる処理を実行した結果として検査付随情報が変化する場合が含まれる。このように、処理シナリオ生成機能２３２は、再帰的に処理シナリオを生成することができる。
【００３９】
次に、ステップＳ３において、処理シナリオ実行機能２３３は、処理シナリオに規定された実行順序で、外部機器３１−３７および４０の少なくとも１つに対して処理シナリオに規定された処理を要求する（図３（５）参照）。
【００４０】
次に、ステップＳ４において、処理シナリオ実行機能２３３は、処理シナリオに規定された複数の処理の全てを実行したか否かを判定する。全て実行した場合は一連の手順は終了となる。一方、全ての処理を実行していない場合は、ステップＳ１に戻る。
【００４１】
以上の手順により、外部医用機器３１−３７で生成される検査付随情報の変化に応じて、ユーザの入力なしに自動的に外部機器３１−３７および４０の少なくとも１つに対して適切な順序で適切な処理の実行を要求することができる。
【００４２】
続いて、処理シナリオの生成および実行について、より具体的に説明する。
【００４３】
図４は、検査付随情報の変化として患者Ａの検査状態の変化を検知した場合の処理シナリオの生成および実行における各構成間の情報の流れの一例を示す説明図である。
【００４４】
たとえば、医用画像診断装置３１で患者Ａが検査中である旨の検査付随情報を受けた後、この検査が終了した旨の検査付随情報を受けると、状態変化監視機能２３１は、この変化を検出する（図４（１）参照）。
【００４５】
処理シナリオ生成機能２３２は、患者Ａの検査状態が検査中から検査終了に変化したことを通知されると（図４（２）参照）、処理シナリオを生成し、生成した処理シナリオの情報を記憶回路２２と処理シナリオ実行機能２３３に出力する（図４（４）参照）。
【００４６】
図４（３）に示す例では、この変化に応じた処理シナリオを構成する複数の処理は、Ａ１：医用画像診断装置３１に対するシステム状態セルフチェック、Ｂ１：患者Ａの医用画像のＣＡＤ３６への転送を含む。また、処理Ａ１が終了したことを条件とする処理として、Ａ２：次の患者の呼び出しと、Ａ３：次の患者の登録が処理シナリオに含まれる。
【００４７】
そこで、処理シナリオ実行機能２３３はまず、処理Ａ１と処理Ｂ１を並列的に実行する（図４（５）参照）。
【００４８】
図５は、図４（５）に示す処理Ａ１に続く各構成間の情報の流れの一例を示す説明図である。
【００４９】
処理シナリオ実行機能２３３からシステム状態セルフチェックするよう要求されて、医用画像診断装置３１はシステム状態のセルフチェックを実行する（図５（６）参照）。セルフチェックでエラーが発生すると、状態変化監視機能２３１はエラー発生を検知し（図５（７）参照）、その旨を処理シナリオ生成機能２３２に通知する（図５（８）参照）。処理シナリオ生成機能２３２は、医用画像診断装置３１にエラーが発生していることから、次の予約患者が医用画像診断装置３１を利用することは難しいと判断し、処理シナリオを再編し（図５（９）参照）、再編した処理シナリオの情報を記憶回路２２と処理シナリオ実行機能２３３に出力する（図５（１０）参照）。
【００５０】
図５（９）に示す例では、再編された処理シナリオを構成する複数の処理は、Ｃ１：サービスマンへの連絡、Ｃ２：医用画像診断装置３１からのログの回収、転送、およびＤ２：予約患者が利用する医用画像診断装置の再振り分け要求を含む。また再編前の処理シナリオに含まれていたＡ２：次の患者の呼び出しと、Ａ３：次の患者の登録は削除される。
【００５１】
そして、処理シナリオ実行機能２３３は、再編後の処理シナリオにもとづいて、情報処理装置４０に対して処理Ｃ１：サービスマンへの連絡可能な動作をするよう要求する（図５（１１）参照）。処理Ｃ１の一例として、情報処理装置４０に対してテレビ電話通話要求発信をし、着呼に応じた動作を要求する処理が挙げられる。
【００５２】
また、処理シナリオ実行機能２３３は、Ｃ２：医用画像診断装置３１に対してログの回収を要求し、回収したログを情報処理装置４０に転送してサービスマンの閲覧を要求するとともに、ＨＩＳ３３およびＲＩＳ３４にＤ２：予約患者が利用する医用画像診断装置の再振り分け処理を要求する（図５（１２）参照）。
【００５３】
図６は、図４（５）に示す処理Ｂ１に続く各構成間の情報の流れの一例であって、図５（９）に示した処理シナリオの再編後における各構成間の情報の流れの一例を示す説明図である。
【００５４】
処理シナリオ実行機能２３３からの要求に応じて、ＰＡＣＳ３５は患者Ａの医用画像をＣＡＤ３６へ転送する（図６（１３）参照）。いま、ＣＡＤ３６がこの医用画像に対して陽性判断を下した場合を考えると（図６（１４）参照）、当該陽性判断の情報はＰＡＣＳ３５を介して記憶回路２２に与えられる（図６（１５）参照）。
【００５５】
状態変化監視機能２３１は陽性判断結果を検知し（図６（１６）参照）、その旨を処理シナリオ生成機能２３２に通知する（図６（１７）参照）。処理シナリオ生成機能２３２は、ＣＡＤ３６が陽性判断を下したことに応じて、この陽性判断の妥当性を判断するための処理を追加するよう、さらに処理シナリオを再編し、この再々編した処理シナリオの情報を記憶回路２２と処理シナリオ実行機能２３３に出力する（図６（１９）参照）。
【００５６】
この再々編処理シナリオには、たとえば図６に示すように、処理Ｃ１、Ｃ２、Ｄ１と並列処理されるシナリオとして、Ｅ１：ＲＩＳ３４への追加のＣＴ検査登録およびＥ２：読影装置に対する患者ＡのＣＡＤ画像の読影依頼が追加される。
【００５７】
そして、処理シナリオ実行機能２３３は、再々編後の処理シナリオにもとづいて、ＲＩＳ３４に対してＥ１：患者Ａの追加のＣＴ検査登録を要求する（図６（２０）参照）。また、処理シナリオ実行機能２３３は、Ｅ２：読影装置に対して、患者ＡのＣＡＤ画像の読影依頼を要求する（図６（２１）参照）。
【００５８】
図５−６に示すように、処理シナリオに含まれる処理を実行した結果として検査付随情報が変化した場合であっても、処理シナリオ生成機能２３２は、ユーザの入力を受けることなく、この変化に適するように自動的に処理シナリオを再編することができる。
【００５９】
また、検査付随情報の変化に応じて、処理シナリオを構成する複数の処理のうちの１つの処理を細分化した処理を処理シナリオに追加してもよい。
【００６０】
図７は、図５（９）に示す処理シナリオの処理Ｃ２を細分化した処理を処理シナリオに追加する例を示す説明図である。
【００６１】
たとえば、処理シナリオにＣ２：医用画像診断装置３１からのログの回収、転送、が含まれており、記憶回路２２の検査付随情報にエラー原因となっている部品の情報が含まれている場合を考える。この場合は、エラー原因となっている部品のログを回収する、という処理Ｃ２−１を追加する。また、この部品のログが回収されたという結果に応じて、情報処理装置４０にログを転送してサービスマンに閲覧させるよう要求する処理Ｃ２−２が追加される。また、ログ転送に適した圧縮形式でログを圧縮する処理が追加されてもよい。すなわち、処理シナリオに大まかな処理が含まれている場合、この大まかな処理を細分化して実行に移す（たとえばログ回収する部品を特定する）作業は、記憶回路２２に蓄積されている検査付随情報を用いて総合的に判断して処理シナリオ生成機能２３２が行ってもよいし、対応する外部機器３１−３７および４０の少なくとも１つに任せてもよい。
【００６２】
第１実施形態に係る検査支援装置２０を含む検査支援システム１０は、検査付随情報の変化をトリガとして、この変化に応じた複数の処理を手順化した処理シナリオをユーザの入力なしに自動的に生成することができる。このため、連続的な複数の処理の全体を最適な手順で実行することができる。また、検査支援装置２０を含む検査支援システム１０は、検査付随情報が変化するごとに自動的に再帰的に処理シナリオを再編することができる。この再編により、処理シナリオを構成する複数の処理およびその実行順序は、外部医用機器３１−３７の現在の状態に応じて随時最適化される。たとえば、システム状態のセルフチェック中に急患が来院した場合には、この来院の情報を検査付随情報の変化として検知してセルフチェックを中止し、現在の処理シナリオを当該患者の撮影を行うための処理シナリオに再編することができる。
【００６３】
また、処理シナリオを構成する処理の実行タイミングの最適化は検査支援装置２０が行う。このため、外部機器３１−３７および４０の少なくとも１つは、処理シナリオの設定にあたって能動的な貢献をする必要はない。
【００６４】
（第２の実施形態）
図８は、第２実施形態に係る医用画像診断装置３１Ａを含む検査支援システム１０Ａの一構成例を示すブロック図である。第２実施形態に係る医用画像診断装置３１Ａおよび検査支援システム１０Ａは、医用画像診断装置３１Ａが第１実施形態に係る検査支援装置２０の構成を第１実施形態に係る医用画像診断装置３１に設け、検査支援装置２０を削除した点で第１実施形態に示す医用画像診断装置３１および検査支援システム１０と異なる。
【００６５】
他の構成および作用については図１に示す医用画像診断装置３１および検査支援システム１０と実質的に異ならないため、同じ構成には同一符号を付して説明を省略する。なお、図８では外部機器３２−３７および４０の図示を省略した。第２実施形態に係る医用画像診断装置３１Ａは、第１実施形態に係る検査支援装置２０にかえて用いてもよいし、検査支援装置２０とともに互いにネットワーク１００に接続されて併用されてもよい。また、本実施形態では、外部医用機器３２−３７と情報処理装置４０を外部機器と総称し、医用画像診断装置３１Ａを自機というものとする。
【００６６】
医用画像診断装置３１Ａとしては、Ｘ線診断装置、Ｘ線ＣＴ装置、核医学診断装置、ＭＲＩ装置、超音波診断装置などのモダリティを用いることができる。以下の説明では、第１実施形態に係る検査支援システム１０において、医用画像診断装置３１を本実施形態に係る医用画像診断装置３１Ａで置き換える場合の例を示す。
【００６７】
医用画像診断装置３１Ａは、被検体を撮像し画像データを出力する撮像装置６０と、画像データにもとづいて医用画像を生成するコンソール７０とを有する。
【００６８】
コンソール７０は、ディスプレイ７１、入力インターフェース７２、記憶回路７３、通信回路７４および処理回路７５を有する。
【００６９】
ディスプレイ７１は、たとえば液晶ディスプレイやＯＬＥＤ（Organic Light Emitting Diode）ディスプレイなどの一般的な表示出力装置により構成され、処理回路７５の制御に従って各種情報を表示する。入力インターフェース７２は、たとえばトラックボール、スイッチ、ボタン、マウス、キーボード、操作面へ触れることで入力操作を行なうタッチパッド、光学センサを用いた非接触入力回路、および音声入力回路等などの一般的な入力装置により実現され、ユーザの操作に対応した操作入力信号を処理回路７５に出力する。
【００７０】
記憶回路７３は、第１実施形態に係る記憶回路２２と同様の構成および作用を有し、検査支援プログラムを記憶するほか、自機３１Ａおよび外部医用機器３２−３７から随時取得した医用検査に付随する任意の情報（以下、検査付随情報という）を記憶する。検査付随情報は、外部医用機器３１−３７から随時記憶回路２２に与えられる。
【００７１】
通信回路７４は、第１実施形態に係る通信回路２１と同様の構成および作用を有する。
【００７２】
処理回路７５は、医用画像診断装置３１Ａを統括制御する機能を実現する。また、処理回路７５は、記憶回路７３に記憶された検査支援プログラムを読み出して実行することにより、自機３１Ａおよび外部医用機器３２−３７で生成される検査付随情報の変化に応じて、ユーザの入力なしに自動的に自機３１Ａと外部機器３２−３７、４０との少なくとも１つに対して適切な順序で適切な処理の実行を要求するための処理を実行するプロセッサである。
【００７３】
図８に示すように、処理回路７５のプロセッサは、撮像制御機能７５１、エラー管理機能７５２、システム状態管理機能７５３、画像生成機能７５４、状態変化監視機能２３１Ａ、処理シナリオ生成機能２３２Ａ、および処理シナリオ実行機能２３３Ａを実現する。これらの各機能はそれぞれプログラムの形態で記憶回路７３に記憶されている。
【００７４】
撮像制御機能７５１は、撮像装置６０を制御し、被検体の医用画像を撮像する。撮像制御機能７５１が出力する検査状態（検査開始、検査中、検査終了など）の情報、および撮像装置６０の動作状態（寝台移動、透視、撮影など）の情報は、検査付随情報として随時記憶回路７３に記憶される。
【００７５】
エラー管理機能７５２は、セルフチェック機能を有するとともに、自機のエラー発生箇所の検知およびエラーログの管理を行う。エラー管理機能７５２が出力するエラー発生状況を示す情報は、検査付随情報として随時記憶回路７３に記憶される。
【００７６】
システム状態管理機能７５３は、自機のオペレーティングシステムの起動状態（シャットダウン、起動中など）の情報を出力する。この起動状態の情報も、検査付随情報として随時記憶回路７３に記憶される。また、撮像装置６０が生成する画像データに基づいて画像生成機能７５４が生成した医用画像もまた、検査付随情報として随時記憶回路７３に記憶される。
【００７７】
状態変化監視機能２３１Ａ、処理シナリオ生成機能２３２Ａ、および処理シナリオ実行機能２３３Ａは、第１実施形態に係る検査支援装置２０の処理回路２３の状態変化監視機能２３１、処理シナリオ生成機能２３２、および処理シナリオ実行機能２３３と同様の機能をそれぞれ含む。
【００７８】
また、検査付随情報には、自機３１Ａの機能７５１−７５４等が出力した情報が含まれる。このため、状態変化監視機能２３１Ａは、自機３１Ａで生成される検査付随情報をも監視して変化を検出することになる。
【００７９】
同様に、処理シナリオ生成機能２３２Ａは、自機３１Ａで生成された検査付随情報に変化があると、変化の内容に応じて、自機３１Ａと外部機器３２−３７、４０の少なくとも１つに要求する複数の処理を規定するとともにそれぞれの処理の実行順序を規定した処理シナリオを生成する。
【００８０】
同様に、処理シナリオ実行機能２３３Ａは、処理シナリオに規定された実行順序で、撮像制御機能７５１、エラー管理機能７５２、システム状態管理機能７５３および画像生成機能７５４を含む自機３１Ａのコンポーネントと、外部機器３２−３７および４０と、の少なくとも１つに対して処理シナリオに規定された処理を要求する。
【００８１】
第２実施形態に係る医用画像診断装置３１Ａを含む検査支援システム１０Ａによっても、第１実施形態に係る検査支援装置２０を含む検査支援システム１０と同様に、検査付随情報の変化をトリガとして変化に応じた複数の処理を手順化した処理シナリオをユーザの入力なしに自動的に生成することができるとともに、検査付随情報が変化するごとに自動的に再帰的に処理シナリオを再編することができる。
【００８２】
また、第２実施形態に係る医用画像診断装置３１Ａによれば、検査支援装置２０を省略することができるため、検査支援システム１０Ａをコンパクトに構成することができる。
【００８３】
以上説明した少なくとも１つの実施形態によれば、医用機器で生成される医用検査に付随する情報の変化に応じて、ユーザの入力なしに自動的に様々な機器に対して適切な順序で適切な処理の実行を要求することができる。
【００８４】
なお、第１実施形態における処理回路２３の状態変化監視機能２３１、処理シナリオ生成機能２３２および処理シナリオ実行機能２３３は、それぞれ特許請求の範囲における監視部、生成部および実行部の一例である。また、第２実施形態に係る処理回路７５のエラー管理機能７５２、状態変化監視機能２３１Ａ、処理シナリオ生成機能２３２Ａおよび処理シナリオ実行機能２３３Ａは、それぞれ特許請求の範囲におけるエラー管理部、監視部、生成部および実行部の一例である。また、本実施形態における撮像装置６０は、特許請求の範囲における撮像部の一例である。
【００８５】
また、上記実施形態において、「プロセッサ」という文言は、たとえば、専用または汎用のＣＰＵ（Central Processing Unit）、ＧＰＵ（Graphics Processing Unit）、または、特定用途向け集積回路（Application Specific Integrated Circuit：ＡＳＩＣ）、プログラマブル論理デバイス（たとえば、単純プログラマブル論理デバイス（Simple Programmable Logic Device：ＳＰＬＤ）、複合プログラマブル論理デバイス（Complex Programmable Logic Device：ＣＰＬＤ）、およびＦＰＧＡ）等の回路を意味するものとする。プロセッサは、記憶媒体に保存されたプログラムを読み出して実行することにより、各種機能を実現する。
【００８６】
また、上記実施形態では処理回路の単一のプロセッサが各機能を実現する場合の例について示したが、複数の独立したプロセッサを組み合わせて処理回路を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００８７】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８８】
１０、１０Ａ  検査支援システム
２０  検査支援装置
３１  医用画像診断装置
３１Ａ  医用画像診断装置
３２  医用画像診断装置
３７  読影装置
４０  情報処理装置
６０  撮像装置
２３１、２３１Ａ  状態変化監視機能
２３２、２３２Ａ  処理シナリオ生成機能
２３３、２３３Ａ  処理シナリオ実行機能
７５１  撮像制御機能
７５２  エラー管理機能
７５３  システム状態管理機能
７５４  画像生成機能
【図１】
2020057326.tif 000003
【図２】
2020057326.tif 000004
【図３】
2020057326.tif 000005
【図４】
2020057326.tif 000006
【図５】
2020057326.tif 000007
【図６】
2020057326.tif 000008
【図７】
2020057326.tif 000009
【図８】
2020057326.tif 000010